(57)【要約】      （修正有）【課題】緊急時に担架として利用できるようにした担架兼用テーブルを提供する。【解決手段】表面に化粧板を有する天板本体部５と、天板本体部５の裏面におけるフレーム７及び一対の脚８１の内側に発泡樹脂板６１を有する床部６とからなる天板を形成し、発泡樹脂板６１には、折畳み可能な各脚部を折畳んだときに補強バー８２を受入れる溝部を形成し、天板本体部５の裏面には各種ベルト３１、３２、３３を取付け、会議用テーブルを裏返すとともに各脚部８１を折畳んだ状態で担架３として利用可能とした。【選択図】図４
2015066204.tif 000002
【特許請求の範囲】
【請求項１】
横長矩形状の天板と、前記天板の裏面の長手方向縁部に沿って設けられた２つのフレームと、一対の脚が補強バーで連結され前記フレームの各端部に折畳み可能に設けられた２組の脚部とを備えた会議用テーブルにおいて、
前記天板は、表面に化粧板を有する天板本体部と、前記天板本体部の裏面における前記フレーム及び前記一対の脚の内側に発泡樹脂板を有する床部とを備え、
前記発泡樹脂板には、前記各脚部を折畳んだときに前記補強バーを受入れる２本の溝部を形成し、
前記天板本体部の裏面には、前記床部上の傷病者を固定可能な２組の固定ベルトを取付けるとともに、長手方向の端部にそれぞれ輪状の肩掛けベルトを取付け、
前記天板の床部が上面となるように前記会議用テーブルを裏返すとともに前記各脚部を折畳んだ状態で担架として利用可能としたことを特徴とする担架兼用テーブル。
【請求項２】
前記天板本体部は、表面から順に、前記化粧板としてのメラミン化粧板と、表面側合板と、発泡材又はペーパーコアからなる充填剤と、裏面側合板とを積層するとともに、端部側における前記表面側合板と前記裏面側合板との間に単板積層材を前記充填剤に替えて設け、
前記天板本体部の周縁にウレタン樹脂を一体成型により設けたことを特徴とする請求項１に記載の担架兼用テーブル。
【請求項３】
前記各固定ベルトは、前記各溝部に保持可能としたことを特徴とする請求項１又は２に記載の担架兼用テーブル。
【請求項４】
前記発泡樹脂板には、前記各肩掛けベルトをそれぞれ収納可能な収納部と、前記各収納部をそれぞれ封止する収納シール材とを備えたことを特徴とする請求項１〜３のいずれかに記載の担架兼用テーブル。
【請求項５】
前記天板本体部の裏面における長手方向縁部の中央に、それぞれ取っ手ベルトを備えたことを特徴とする請求項１〜４のいずれかに記載の担架兼用テーブル。
【発明の詳細な説明】
【技術分野】
【０００１】
本発明は、事業所、公民館、会議・集会の可能な各種会議室・施設などに設置される会議用テーブルを、地震等の災害・事故等の緊急時に担架として利用できるようにした担架兼用テーブルに係り、表面に化粧板を有する天板本体部と天板本体部の裏面に発泡樹脂板を有する床部とを備えた天板を形成し、２本の輪状の肩掛けベルトと傷病者を固定可能な２組の固定ベルトを取付けて、前記会議用テーブルを裏返すとともに各脚部を折畳んだ状態で担架として利用可能とした担架兼用テーブルに関する技術である。
【背景技術】
【０００２】
従来、専用の担架の他に、通常時はベンチや長椅子として使用し、緊急時に分解して一部の部材を担架として使用するようにしたものが知られている（例えば、特許文献１及び２参照）。
また、従来、通常時は机として使用し、緊急時に机を分解してストレッチャに組立てて使用するようにしたものが知られている（例えば、特許文献３参照）。
【先行技術文献】
【特許文献】
【０００３】
【特許文献１】特開2002-238699号特許公報
【特許文献２】特許第4923307号公報
【特許文献３】特許第4967086号公報
【発明の概要】
【発明が解決しようとする課題】
【０００４】
特許文献１に記載された従来の担架兼用ベンチ及び特許文献２に記載された従来の担架兼用長椅子は、いずれも緊急時に担架として使用する場合、分解する必要があるため、使用するまでに時間がかかるという課題があった。
また、担架としての機能も不十分であり、通常時にベンチ、長椅子として使用するため、会議・集会の可能な各種会議室・施設に設置し難く、設置場所に制限を受けるという課題があった。
【０００５】
特許文献３に記載された従来のストレッチャ兼用机は、緊急時に担架として使用できず、ストレッチャとして使用する場合には、分解後組立てる必要があるため、使用するまでに長時間を要するという課題があった。
また、緊急時にストレッチャとして使用するため、設置場所がバリアフリーの施設に制限されるという課題があった。
【０００６】
本発明は、このような従来の構成が有していた課題を解決しようとするものであり、表面に化粧板を有する天板本体部と天板本体部の裏面に発泡樹脂板を有する床部とを備えた天板を形成し、２本の輪状の肩掛けベルトと傷病者を固定可能な２組の固定ベルトを取付けて、前記会議用テーブルを裏返すとともに各脚部を折畳んだ状態で担架として利用可能とした担架兼用テーブルであって、通常は会議室等に設置し、緊急時には即時に担架として使用できることを目的としている。
【課題を解決するための手段】
【０００７】
請求項１に係る本発明の担架兼用テーブルは、横長矩形状の天板と、前記天板の裏面の長手方向縁部に沿って設けられた２つのフレームと、一対の脚が補強バーで連結され前記フレームの各端部に折畳み可能に設けられた２組の脚部とを備えた会議用テーブルにおいて、
前記天板は、表面に化粧板を有する天板本体部と、前記天板本体部の裏面における前記フレーム及び前記一対の脚の内側に発泡樹脂板を有する床部とを備え、
前記発泡樹脂板には、前記各脚部を折畳んだときに前記補強バーを受入れる２本の溝部を形成し、
前記天板本体部の裏面には、前記床部上の傷病者を固定可能な２組の固定ベルトを取付けるとともに、長手方向の端部にそれぞれ輪状の肩掛けベルトを取付け、
前記天板の床部が上面となるように前記会議用テーブルを裏返すとともに前記各脚部を折畳んだ状態で担架として利用可能としたものである。
【０００８】
請求項２に係る本発明の担架兼用テーブルは、請求項１に係る本発明の担架兼用テーブルの構成に加え、前記天板本体部は、表面から順に、前記化粧板としてのメラミン化粧板と、表面側合板と、発泡材又はペーパーコアからなる充填材と、裏面側合板とを積層するとともに、端部側における前記表面側合板と前記裏面側合板との間に単板積層材を前記充填材に替えて設け、
前記天板本体部の周縁にウレタン樹脂を一体成型により設けたものである。
【０００９】
請求項３に係る本発明の担架兼用テーブルは、請求項１又は２に係る担架兼用テーブルの構成に加え、前記各固定ベルトは、前記各溝部に保持可能としたものである。
【００１０】
請求項４に係る本発明の担架兼用テーブルは、請求項１〜３のいずれかに係る本発明の担架兼用テーブルの構成に加え、前記発泡樹脂板には、前記各肩掛けベルトをそれぞれ収納可能な収納部と、前記各収納部をそれぞれ封止する収納シール材とを備えたものである。
【００１１】
請求項５に係る本発明の担架兼用テーブルは、請求項１〜４のいずれかに係る本発明の担架兼用テーブルの構成に加え、前記天板本体部の裏面における長手方向縁部の中央に、それぞれ取っ手ベルトを備えたものである。
【発明の効果】
【００１２】
請求項１に係る本発明の担架兼用テーブルは、横長矩形状の天板は、表面に化粧板を有する天板本体部と、前記天板本体部の裏面におけるフレーム及び一対の脚の内側に発泡樹脂板を有する床部とを備え、前記発泡樹脂板には、折畳み可能な各脚部を折畳んだときに補強バーを受入れる２本の溝部を形成し、前記天板本体部の裏面には、前記床部上の傷病者を固定可能な２組の固定ベルトを取付けるとともに、長手方向の端部にそれぞれ輪状の肩掛けベルトを取付け、前記天板の床部が上面となるように前記会議用テーブルを裏返すとともに前記各脚部を折畳んだ状態で担架として利用可能としたから、会議用テーブルとして違和感なく使用でき、担架としての保管場所に困ることがなく、緊急時には即時に必要な機能を備えた担架として使用できるのである。
また、脚部を折畳んだときに補強バーを受入れる溝部があるので床部を平らにでき傷病者の負担が少ないのである。
【００１３】
請求項２に係る本発明の担架兼用テーブルは、請求項１に係る本発明の担架兼用テーブルの効果に加え、前記天板本体部は、表面から順に、前記化粧板としてのメラミン化粧板と、表面側合板と、発泡材又はペーパーコアからなる充填材と、裏面側合板とを積層するとともに、端部側における前記表面側合板と前記裏面側合板との間に単板積層材を前記充填材に替えて設け、前記天板本体部の周縁にウレタン樹脂を一体成型により設けたから、担架としての使用時に、メラミン化粧板で床上を滑らせて移動することもでき救護者が少ないときでも搬送可能である。
また、天板本体部を軽量な材料で構成しているので、担架として使用するときに搬送が楽に行えるのである。
【００１４】
請求項３に係る本発明の担架兼用テーブルは、請求項１又は２に係る担架兼用テーブルの効果に加え、傷病者を固定可能な固定ベルトは、補強バーを受入れる溝部に保持可能としたから、通常の会議用テーブルとしての使用時に固定ベルトが邪魔になるおそれや紛失するおそれがなく、担架としての使用時に固定ベルトを探すこともないのである。
【００１５】
請求項４に係る本発明の担架兼用テーブルは、請求項１〜３のいずれかに係る本発明の担架兼用テーブルの効果に加え、発泡樹脂板には、各肩掛けベルトをそれぞれ収納可能な収納部と、前記各収納部をぞれぞれ封止する収納シール材とを備えたから、通常の会議用テーブルとしての使用時に肩掛けベルトが邪魔になるおそれや紛失するおそれがなく、担架としての使用時に肩掛けベルトを探すこともないのである。
【００１６】
請求項５に係る本発明の担架兼用テーブルは、請求項１〜４のいずれかに係る本発明の担架兼用テーブルの効果に加え、天板本体部の裏面における長手方向縁部の中央に、それぞれ取っ手ベルトを備えたから、多くの救護者で担架を搬送することもできるのである。
【図面の簡単な説明】
【００１７】
【図１】本発明の実施の形態に係る担架兼用テーブルについて、用途を会議用テーブルとしたときの斜視図である。
【図２】本発明の実施の形態に係る担架兼用テーブルについて、脚部を折畳んだ状態での底面図である。
【図３】図２の右側端面図である。
【図４】本発明の実施の形態に係る担架兼用テーブルについて、用途を担架としたときの平面図である。
【図５】図４のＡ−Ａ線断面図である。
【図６】本発明の実施の形態に係る担架兼用テーブルについて、固定ベルト、肩掛けベルト及び取っ手ベルトの取付構造の説明図で、（ａ）は会議用テーブルを裏返したときの部分平面図、（ｂ）は（ａ）の正面図、（ｃ）は（ａ）の右側面図、（ｄ）は（ｂ）のＢ−Ｂ線拡大断面図である。
【図７】本発明の実施の形態に係る担架兼用テーブルについて、天板本体部の端部の部分拡大断面図である。
【図８】本発明の実施の形態に係る担架兼用テーブルについて、脚部の折畳み構造を示す部分斜視図で、（ａ）は折畳み前、（ｂ）は折畳み途中、（ｃ）は折畳んだ状態、（ｄ）は安全カバー装着前、（ｅ）は安全カバー装着状態を示す。
【図９】本発明の実施の形態に係る担架兼用テーブルについて、床部に貼り付けられた担架の取扱いを記載した取扱説明書を示す図面である。
【図１０】本発明の実施の形態に係る担架兼用テーブルについて、床部の肩掛けベルト収納部に貼り付けられた収納シール材を示す図面で、（ａ）は奥行６００ｍｍの天板用、（ｂ）は奥行４５０ｍｍの天板用である。
【図１１】本発明の実施の形態に係る担架兼用テーブルについて、天板本体部の表面に貼り付けられた担架として使用可能であることを表示した担架表示材を示す図面である。
【発明を実施するための形態】
【００１８】
以下、本発明の実施の形態を添付した図面により詳細に説明する。
図１〜図１１は、本発明の実施の形態に係る図面であり、図１は用途を会議用テーブルとしたときの斜視図、図２は脚部を折畳んだ状態での底面図、図３は図２の右側面図、図４は用途を担架としたときの平面図、図５は図４のＡ−Ａ線断面図、図６は各ベルトの取付構造の説明図、図７は天板本体部の端部の部分拡大断面図、図８は脚部の折畳み構造を示す部分斜視図、図９は取扱説明書を示す図面、図１０は収納シール材を示す図面及び図１１は担架表示材を示す図面である。
【００１９】
担架兼用テーブル１は、通常時には図１に示すように会議用テーブル２として使用し、緊急時には図４に示すように担架３として使用するものである。
図１において、会議用テーブル２は横幅が１８００ｍｍ、奥行が６００ｍｍ、高さが７００ｍｍであり、横長矩形状の天板４と脚部８とを備えている。
【００２０】
前記天板４は、図２に示すように、天板本体部５と、天板本体部５の裏面に押出し発泡ポリスチレン製の発泡樹脂板６１を有する床部６とを備えている。
前記天板本体部５は、図７に示すように、厚みを２５ｍｍとし、表面から順に化粧板としてのメラミン化粧板５１と、表面側合板５２、発泡材又はペーパーコアからなる充填材５３と、裏面側合板５４とを積層して形成している。
【００２１】
また、前記天板本体部５の周縁部には、前記表面側合板５２と前記裏面側合板５４との間に単板積層材（ＬＶＬ）５５を前記発泡材又はペーパーコアからなる充填材５３に替えて設けることにより、天板本体部５を軽量でありながら強度を有するようにしている。
そして、前記天板本体部５の全周縁に木口材としてウレタン樹脂５６を一体成型により設けて、担架３としての使用時に人や物に衝突したときの衝撃緩和を図っている。
【００２２】
前記天板本体部５の裏面には、図２に示すように、その長手方向縁部に沿って２つの四角筒状の鋼製のフレーム７を固定している。
前記フレーム７の各端部には、図８に示すように、折畳み可能な２組の脚部８を設けている。
【００２３】
前記脚部８は、四角筒状のアルミニューム製であり、一対の脚８１が四角筒状の補強バー８２（図１参照）で連結されて形成されている。
そして、脚部８の折畳みは、一対の脚８１の端部に設けた折畳み機構８３により形成している。
【００２４】
前記折畳み機構８３は、鋼製で、前記フレーム７の各端部における天板本体部５の内方に溶接により固定した不動部材８４と、脚部８の折畳み時及び起立時に可動する可動部材８５と、脚部８の折畳み・起立の操作を行う操作レバー８６とを備えている。
前記不動部材８４は、２つの立片８４ａと連結片（図示せず）とからなる断面凹状に形成しており、前記立片８４ａ間に前記脚８１の端部を嵌合した状態で前記脚８１を回動可能に軸支している。
【００２５】
前記可動部材８５は、前記不動部材８４に軸支された脚８１の端部の四角筒状の一面を切欠いて、切欠き部に一端を位置させて前記脚８１の対向する側壁に軸支させるとともに他端を不動部材８４の凹状部に位置させるようにしている。
また、前記不動部材８４の各立片８４ａには、前記操作レバー８６の端部が嵌合する水平状であって、両端で垂直方向に曲がった起立用孔部と折畳み用孔部となる折畳み・起立用の操作孔８４ｂを形成している。
【００２６】
そして、前記操作レバー８６を前記不動部材８４の内側の立片８４ａの操作孔８３ｂ、前記可動部材８４の他端に設けた孔部（図示せず）及び前記不動部材８４の外側の立片８４ａの操作孔８４ｂを貫通させている。
次に、前記脚部８を起立状態から折畳み状態への操作における、脚８１、不動部材８４の操作孔８４ｂ、可動部材８５及び操作レバー８６の関係について、折畳み前の起立状態を示す図８（ａ）、折畳み途中を示す図８（ｂ）、折畳んだ状態を示す図８（ｃ）により説明する。
【００２７】
折畳み前の起立状態を示す図８（ａ）では、操作レバー８６が操作孔８４ｂの起立用孔部に位置し、脚８１が垂直で、可動部材８５が斜め状態である。
操作レバー８６を折畳む方向に操作して、折畳み途中を示す図８（ｂ）では、操作レバー８６が操作孔８４ｂの途中に位置し、脚８１が斜めに倒れ、可動部材８５がさらに水平方向に近づいた斜め状態となる。
【００２８】
折畳んだ状態を示す図８（ｃ）では、操作レバー８６が操作孔８４ｂの折畳み用孔部に位置し、脚８１が不動部材８４と一直線状に水平になるのである。
この折畳んだ状態では、可動部材８５は不動部材８４の凹状部内と脚８１の端部内に位置して脚８１及び不動部材８４と水平に一直線状となるのである。
【００２９】
そして、脚部８を折畳んだ状態では、脚部８は前記フレーム７に沿って天板本体部５の内方側に位置するようにしている。
なお、図８（ｄ）、（ｅ）において、８７はプラスチック製の安全カバーであり、折畳み・起立の操作の邪魔にならないように、フレーム７の端部及び不動部材８４の端部をカバーしており、エッジで怪我をしないようにしている。
【００３０】
前記脚部８を折畳んだ状態の担架兼用テーブル１は、図２及び図４に示すように、前記一対の脚８１が天板本体部５の裏面における前記フレーム７の内方側に位置するようにしている。
また、前記天板４は、前記天板本体部５の裏面におけるフレーム７及び一対の脚８１の内側に発泡樹脂板６１を有する床部６を備えている。
【００３１】
前記発泡樹脂板６１には、図２及び図５に示すように、前記各脚部８を折畳んだときに前記補強バー８２を受入れる２本の溝部６２を形成して、担架兼用テーブル１を担架３として使用するときに、補強バー８２が傷病者の負担にならないようにしている。
そして、天板本体部５の裏面には、担架兼用テーブル１を担架３として使用するときに使用する、２組の固定ベルト３１、２本の輪状の肩掛けベルト３２及び２つの取っ手ベルト３３を設けている。
【００３２】
２組の固定ベルト３１は前記床部６上に傷病者を固定可能なように、床部６の長手方向中央部に約７６０ｍｍ離して、また、２本の輪状の肩掛けベルト３２は前記天板本体部６の裏面における長手方向端部に、さらに、２つの取っ手ベルト３３は前記天板本体部５の裏面における長手方向縁部の中央に、それぞれ設けるのである。
そして、これらベルト３１、３２、３３は、図６に示すように、それぞれのベルト３１、３２、３３の端部を前記フレーム７と前記天板本体部５の裏面との間に木ねじ３４で固定してとりつけるのである。
【００３３】
これらベルト３１、３２、３３の取付は、図６（ｄ）に示すように、前記フレーム７を前記天板本体部５の縁部に設けた前記単板積層材５５に木ねじ３４で固定する際に一緒に固定している。
次に、担架兼用テーブル１を会議用テーブル２として使用するときの前記各ベルト３１、３２、３３の収納について、図２、図４及び図５により説明する。
【００３４】
前記各固定ベルト３１は、前記発泡樹脂板６１の前記溝部６２の近傍に固定しており、不使用時にはたとえば面状ファスナーにより、図２に示すように、前記溝部６２に収納するようにしている。
また、発泡樹脂板６１には、長手方向端部に前記各肩掛けベルト３２を収納可能な収納部３２ａと、各収納部３２ａを封止する粘着剤を塗布した収納シール材３２ｂとを備えており、担架としての使用時に収納シール材３２ｂを剥がして各肩掛けベルト３２を取り出すようにしている。
【００３５】
なお、収納シール材３２ｂは、この実施の形態では、担架兼用テーブル１の幅を６００ｍｍとしており、図１０（ａ）のものを添付しており、担架兼用テーブル１の幅を４５０ｍｍとした場合、図１０（ｂ）の収納シール材３２ｃを添付するのである。
前記取っ手ベルト３３については、一直線状の各脚８１の端部の高さ調節具８１ａの対向部分であって前記フレーム７と前記発泡樹脂板６１との間に空所３３ａができ、この空所３３ａに取っ手ベルト３３を収納するとともに空所３３ａを封止するその旨を表示した表示シール材３３ｂを貼付している。
【００３６】
また、前記床部６の発泡樹脂板６１の中央部には、図２及び図４に示すように、担架３の取扱いを記載した取扱説明書６３を貼付している。
この取扱説明書６３には、図９に示すように、担架兼用テーブル１を会議室で会議用テーブル２として使用していた状態から、裏返して担架３の状態にし、傷病者を担架３に乗せて固定ベルト３１で固定し、前後の２人又は側部の２人を加えた４人で搬送することが説明されている。
【００３７】
さらに、図１１に示す担架表示材３５を、会議用テーブル２として使用中に会議の出席者に周知するために、図１に示すように、天板４の隅部に貼付している。
【００３８】
以上の本発明の実施の形態について、以下に変形例を例示する。
以上の実施の形態では、会議用テーブル２として使用するときに、前記各ベルト３１、３２、３３を収納することができるようにしたが、天板４の床部６に着脱可能に固定するようにしてもよい。
【００３９】
また、以上の実施の形態では、取っ手ベルト３３を設けたが、取っ手ベルトが無くても担架としての機能を備えており、省略可能である。
以上の実施の形態では、担架兼用テーブルの幅を６００ｍｍとしたが、４５０ｍｍとしてもよい。
【００４０】
以上の実施の形態では、脚部８の折畳み機構８３として、不動部材８４、可動部材８５及び操作レバー８６を備えた例を挙げたが、各種の公知の折畳み機構を採用することができることはもちろんである。
以上の実施の形態では、天板本体部は、メラミン化粧板と、表面側合板と、発泡材又はペーパーコアからなる充填材と、裏面側合板とを積層し、端部側に単板積層材を設け、周縁にウレタン樹脂を一体成型により設けたが、軽量で強度を備えていれば、各種の公知の構造を採用してもよい。
【符号の説明】
【００４１】
１    担架兼用テーブル
２    会議用テーブル
３    担架
３１  固定ベルト
３２  肩掛けベルト
３２ａ  収納部
３２ｂ  収納シール材
３３  取っ手ベルト
４    天板
５    天板本体部
５１  メラミン化粧板
５２  表面側合板
５３  発泡材又はペーパーコアからなる充填材
５４  裏面側合板
５５  単板積層材
５６  ウレタン樹脂
６    床部
６１  発泡樹脂板
６２  溝部
７    フレーム
８    脚部
８１  脚
８２  補強バー
【図１】
2015066204.tif 000003
【図２】
2015066204.tif 000004
【図３】
2015066204.tif 000005
【図４】
2015066204.tif 000006
【図５】
2015066204.tif 000007
【図６】
2015066204.tif 000008
【図７】
2015066204.tif 000009
【図８】
2015066204.tif 000010
【図１０】
2015066204.tif 000011
【図１１】
2015066204.tif 000012
【図９】
2015066204.tif 000013